(57)【要約】【課題】利用者が前方にずり落ち難く、安定した前傾姿勢を容易にとることができ、横移乗が可能である。【解決手段】椅子１００は、肘掛け５０と、グリップ６０とを備えている。肘掛け５０は、肘掛け５０が前方に延びる前位置Ｐ１１と上方に延びる上位置Ｐ１２との間で回転する。グリップ６０は、肘掛け５０の先端部５０ｂに接続された接続アーム部６１と、接続アーム部６１から肘掛け５０と交差する方向に延びたグリップアーム部６２とを有し、肘掛け５０が前位置Ｐ１１にあるときに、グリップアーム部６２が接続アーム部６１から左右方向の中心側に延びる横位置Ｐ２１と、グリップアーム部６２が接続アーム部６１から下方に延びる縦位置Ｐ２２との間で回転する。肘掛け５０が上位置Ｐ１２にあり、グリップ６０が横位置Ｐ２１にあるときに、グリップアーム部６２は背もたれ４０の前端よりも後方に位置する。【選択図】図１
2019072085.tif 000002
【特許請求の範囲】
【請求項１】
フレームと、
前記フレームに支持され、利用者が座る座部と、
それぞれ根元部および先端部を有し、前記座部の左方または右方に配置された肘掛けと、
前記肘掛けが前方に延びる前位置と上方に延びる上位置との間で移動可能なように、前記肘掛けの前記根元部を前記フレームに回転可能に連結した肘掛け回転機構と、
前記肘掛けの前記先端部に接続された接続アーム部と、前記接続アーム部から前記肘掛けと交差する方向に延びたグリップアーム部と、を有するグリップと、
前記接続アーム部を前記肘掛けの前記先端部に回転可能に連結するグリップ回転機構であって、少なくとも前記肘掛けが前記前位置にあるときに、前記グリップアーム部が前記接続アーム部から左右方向の中心側に延びる横位置と、前記グリップアーム部が前記接続アーム部から下方に延びる縦位置との間で前記グリップを回転させるグリップ回転機構と、
前記フレームに支持され、前記座部よりも後方に配置された背もたれと、
を備え、
前記肘掛けが前記上位置にあり、かつ、前記グリップが前記横位置にあるときに、前記グリップアーム部は前記背もたれの前端よりも後方に位置する、椅子。
【請求項２】
前記肘掛けが前記前位置にあるときに、前記グリップの前記接続アーム部の中心は、前記肘掛けの前記先端部の中心よりも下方に位置し、前記グリップの前記接続アーム部の上端は、前記肘掛けの前記先端部の上端よりも下方に配置されている、請求項１に記載された椅子。
【請求項３】
前記グリップを前記横位置にロックするロック機構を備えている、請求項１または２に記載された椅子。
【請求項４】
前記肘掛けが前記前位置にあり、かつ、前記グリップが前記横位置にあるときに、前記グリップアーム部は前記接続アーム部から上方に向かって傾斜している、請求項１から３までの何れか１つに記載された椅子。
【請求項５】
前記フレームは、前記座部よりも下方に配置され、前斜め下方に延びた前脚を備え、
前記肘掛けが前記前位置にあり、かつ、前記グリップが前記横位置または前記縦位置にあるときに、前記グリップの前端は前記前脚の前端よりも前方に位置している、請求項１から４までの何れか１つに記載された椅子。
【発明の詳細な説明】
【技術分野】
【０００１】
本発明は、椅子に関する。
【背景技術】
【０００２】
例えば、特許文献１に、左右一対の肘掛けと、肘掛けに設けられたグリップとを備えた浴室用の椅子が開示されている。グリップは、肘掛けの先端部に設けられ、前後方向に延びる肘掛けに対して垂直な方向に延びている。グリップは、前後方向に延びる回動中心線周りに回動可能に構成されている。グリップを下向きに延びる垂直位置に移動させることにより、利用者は椅子の前方から椅子に座ることができる。利用者が座った後、グリップを左右方向の中心側に延びる水平位置に移動させることにより、グリップを利用者の手前に配置することができる。このグリップにより、利用者は前方にずり落ちることが防止される。また、利用者は、グリップを握ることで、前傾姿勢の状態で姿勢を安定させることができる。
【先行技術文献】
【特許文献】
【０００３】
【特許文献１】実登３０６０５２６号公報
【発明の概要】
【発明が解決しようとする課題】
【０００４】
しかし、上記椅子では、横移乗ができない。すなわち、利用者は、椅子に側方から着座することができず、また、椅子から側方に立ち上がることができない。一方、横移乗が可能な椅子として、肘掛けを跳ね上げ式に構成した椅子が知られている。ところが、肘掛けの先端部にグリップが設けられた椅子では、肘掛けを跳ね上げたときに、肘掛けと一緒にグリップも移動する。そのため、肘掛けを跳ね上げるときに、グリップが利用者の邪魔になるおそれがある。また、肘掛けを跳ね上げた後に、グリップが横移乗の邪魔になるおそれがある。そのため、従来、跳ね上げ式の肘掛けにグリップを設けることは困難と考えられていた。
【０００５】
本発明はかかる点に鑑みてなされたものであり、その目的は、利用者が前方にずり落ち難く、また、安定した前傾姿勢を容易にとることができ、横移乗が可能な椅子を提供することである。
【課題を解決するための手段】
【０００６】
本発明に係る椅子は、フレームと、座部と、肘掛けと、肘掛け回転機構と、グリップと、グリップ回転機構と、背もたれと、を備えている。前記座部は、前記フレームに支持され、利用者が座る。前記肘掛けは、それぞれ根元部および先端部を有し、前記座部の左方または右方に配置されている。前記肘掛け回転機構は、前記肘掛けが前方に延びる前位置と上方に延びる上位置との間で移動可能なように、前記肘掛けの前記根元部を前記フレームに回転可能に連結した。前記グリップは、前記肘掛けの前記先端部に接続された接続アーム部と、前記接続アーム部から前記肘掛けと交差する方向に延びたグリップアーム部と、を有する。前記グリップ回転機構は、前記接続アーム部を前記肘掛けの前記先端部に回転可能に連結するグリップ回転機構であって、少なくとも前記肘掛けが前記前位置にあるときに、前記グリップアーム部が前記接続アーム部から左右方向の中心側に延びる横位置と、前記グリップアーム部が前記接続アーム部から下方に延びる縦位置との間で前記グリップを回転させる。前記背もたれは、前記フレームに支持され、前記座部よりも後方に配置されている。前記肘掛けが前記上位置にあり、かつ、前記グリップが前記横位置にあるときに、前記グリップアーム部は前記背もたれの前端よりも後方に位置する。
【０００７】
上記椅子によれば、例えば肘掛けが前位置にあるときに、グリップを横位置から縦位置に回転させることにより、利用者は前移乗が可能となる。利用者が座部に座った後、グリップを縦位置から横位置に回転させることにより、グリップを利用者の手前に配置することができる。これにより、利用者は前方にずり落ちにくくなる。また、グリップを握ることにより、安定した前傾姿勢を容易にとることができる。横移乗の際には肘掛けを前位置から上位置に回転させるが、予めグリップを横位置から縦位置に回転させておくことにより、グリップが利用者に当たることを防止することができる。よって、グリップが邪魔になることを防ぐことができる。ところが、肘掛けを上位置に回転させた状態では、グリップが利用者の横移乗の邪魔になるおそれがある。しかし、上記椅子によれば、肘掛けを上位置に回転させた後、グリップを縦位置から横位置に移動させることができる。そのときに、グリップアーム部は背もたれの前端よりも後方に位置する。よって、グリップが横移乗の邪魔にならない。したがって、上記椅子によれば、利用者は座ったときに前方にずり落ち難く、また、安定した前傾姿勢を容易にとることができ、更に、横移乗が可能となる。
【０００８】
本発明の好ましい一態様によれば、前記肘掛けが前記前位置にあるときに、前記グリップの前記接続アーム部の中心は、前記肘掛けの前記先端部の中心よりも下方に位置し、前記グリップの前記接続アーム部の上端は、前記肘掛けの前記先端部の上端よりも下方に配置されている。
【０００９】
肘掛けが前位置にあるときに、利用者が肘掛けでなくグリップに手を置いて立ち上がろうとすることがあり得る。特に、グリップが縦位置にある場合は、肘掛けとグリップとが区別しにくくなる傾向があり、利用者はグリップに手を置いて立上りやすい。ところが、グリップは椅子の前方部分に配置されているので、利用者がグリップに手を置いて立ち上がろうとした場合、椅子が前方に転倒するおそれがある。しかしながら、上記態様によれば、肘掛けが前位置にあるときに、接続アーム部の中心は肘掛けの先端部の中心よりも下方に位置する。接続アーム部は、肘掛けよりも一段下がった位置に配置される。そして、接続アーム部の上端は、肘掛けの上端よりも下方に配置される。そのため、利用者は、肘掛けとグリップとを区別しやすくなり、グリップよりも肘掛けの方に手を置き易い。よって、利用者が立ち上がる際、椅子が前方に転倒し難くすることができる。
【００１０】
本発明の好ましい他の一態様によれば、前記グリップを前記横位置にロックするロック機構を備えている。
【００１１】
上記態様によれば、グリップを縦位置から横位置に回転させた後、横位置に固定することができる。よって、グリップが横位置にある場合において、利用者がグリップを握るときに、グリップが回転してしまうことを確実に防止することができる。また、肘掛けを前位置と上位置との間で移動させる際（例えば、跳ね上げる際）、および、肘掛けを跳ね上げてから横移乗する際などに、グリップが回転して邪魔になってしまうことを確実に防止することができる。
【００１２】
本発明の好ましい他の一態様によれば、前記肘掛けが前記前位置にあり、かつ、前記グリップが前記横位置にあるときに、前記グリップアーム部は前記接続アーム部から上方に向かって傾斜している。
【００１３】
上記態様によれば、肘掛けが前位置に配置され、かつ、グリップが横位置に配置されている状態において、座部に座った利用者は、前傾姿勢の状態でグリップアーム部を手で握ると共に、グリップアーム部に腕を置くことができる。前傾姿勢の状態でグリップアーム部を手で握る際、腕は左右方向の中心側に向かうに従って上方に延びた状態となる。よって、上記態様によれば、グリップアーム部の向きと、腕の向きとが同じになり、利用者がグリップアーム部に腕を置き易くすることができる。
【００１４】
本発明の好ましい他の一態様によれば、前記フレームは、前記座部よりも下方に配置され、前斜め下方に延びた前脚を備えている。前記肘掛けが前記前位置にあり、かつ、前記グリップが前記横位置または前記縦位置にあるときに、前記グリップの前端は前記前脚の前端よりも前方に位置している。
【００１５】
グリップの位置が前方にあるほど、グリップに腕を置いて体重を掛けた際に、椅子は前方に倒れやすくなる。上記態様によれば、グリップは比較的前方に配置されている。そのため、グリップに体重を掛けた場合であっても椅子が前方に倒れ難くいという前述の効果が、より顕著に発揮される。
【発明の効果】
【００１６】
本発明によれば、利用者が前方にずり落ち難く、安定した前傾姿勢を容易にとることができ、横移乗が可能な椅子を提供することができる。
【図面の簡単な説明】
【００１７】
【図１】第１実施形態に係る椅子の斜視図である。
【図２】椅子の正面図である。
【図３】椅子の右側面図である。
【図４】椅子の左側面図である。
【図５】椅子の平面図である。
【図６】折り畳まれた状態の椅子の左側面図である。
【図７】グリップの位置が縦位置の状態の椅子の斜視図である。
【図８】グリップの位置が縦位置の状態の椅子の右側面図である。
【図９】グリップの位置が縦位置の状態の椅子の平面図である。
【図１０】第２実施形態に係る椅子の斜視図であり、グリップの位置が横位置である状態を示す図である。
【図１１】第２実施形態に係る椅子の斜視図であり、グリップの位置が縦位置である状態を示す図である。
【発明を実施するための形態】
【００１８】
以下、図面を参照しながら、本発明に係る椅子について説明する。以下に説明する実施形態は、本発明の一実施形態に過ぎず、当然ながら本発明を限定することを意図したものではない。
【００１９】
＜第１実施形態＞
図１は、第１実施形態に係る椅子１００の斜視図である。以下の説明では、前、後、左、右、上、下とは、椅子１００を利用する利用者から見た前、後、左、右、上、下をそれぞれ意味するものとする。各図面中における符号Ｆ、Ｒｒ、Ｌ、Ｒ、Ｕ、Ｄは、それぞれ前、後、左、右、上、下を表す。ただし、これらの方向は説明の便宜上定めた方向に過ぎず、椅子１００の態様を何ら限定するものではない。
【００２０】
本実施形態に係る椅子１００は、浴室用の椅子である。例えば、椅子１００は、主に浴室内において、高齢者や要介護者などがシャワーを浴びるときなどに利用される。ただし、本実施形態に係る椅子１００の利用対象者は、高齢者または要介護者に限定されない。
【００２１】
図２は、椅子１００の正面図である。図３は椅子１００の右側面図であり、図４は椅子１００の左側面図である。図５は、椅子１００の平面図である。図１〜図５に示すように、椅子１００は、フレーム１０Ａと、座部３０と、背もたれ４０と、左右一対の肘掛け５０と、左右一対のグリップ６０とを備えている。フレーム１０Ａは、左右一対の第１フレーム１０と、横フレーム１５と、左右一対の第２フレーム２０と、を含んでいる。
【００２２】
左の第１フレーム１０と、右の第１フレーム１０とは、左右対称の形状を有している。図３に示すように、第１フレーム１０は、前斜め下向きに延びる下部１１と、下部１１から後斜め上向きに延びる中途部１２と、中途部１２から後斜め上向きに延びる上部１３とを有している。第１フレーム１０の下部１１は、本発明の前脚の一例である。図５に示すように、左の第１フレーム１０と右の第１フレーム１０のそれぞれの上部１３には、横フレーム１５が架け渡されている。ここでは、左右一対の第１フレーム１０と横フレーム１５とは一体的に形成されている。
【００２３】
図３に示すように、第１フレーム１０の下部１１は、伸縮可能であり、長さ調整が可能である。第１フレーム１０の下部１１は、上パイプ部１１ａと、上パイプ部１１ａがスライド可能に挿入された下パイプ部１１ｂと、下パイプ部１１ｂの下端部に設けられた滑り止めキャップ１１ｃとを有している。上パイプ部１１ａの下パイプ部１１ｂに対する挿入長さを調整することで、第１フレーム１０の下部１１の長さを調整することができる。
【００２４】
左の第２フレーム２０と、右の第２フレーム２０とは、左右対称の形状を有している。第２フレーム２０は、後斜め下向きに延びている。第２フレーム２０の下部は後脚を構成している。第２フレーム２０は、上パイプ部２０ａと、上パイプ部２０ａがスライド可能に挿入された下パイプ部２０ｂと、下パイプ部２０ｂの下端部に設けられた滑り止めキャップ２０ｃとを有している。第２フレーム２０は、第１フレーム１０の下部１１と同様に、伸縮可能であり、長さ調整が可能である。ここでは、上パイプ部２０ａの下パイプ部２０ｂに対する挿入長さを調整することで、第２フレーム２０の長さを調整することができる。本実施形態では、第１フレーム１０の下部１１の長さ、および、第２フレーム２０の長さを調整することで、座部３０の高さを調整することができる。
【００２５】
図２に示すように、左の第１フレーム１０の下部１１と右の第１フレーム１０の下部１１との間には、第１連結バー１６が架け渡されている。第１連結バー１６は、左右方向に延びている。第１連結バー１６は、左の第１フレーム１０と右の第１フレーム１０とを連結している。また、左右一対の第１フレーム１０には、左右一対の第１支持バー１７が設けられている。左右一対の第１支持バー１７は、椅子１００が開脚しているとき、座部３０を支持するものである。左の第１支持バー１７は、左の第１フレーム１０の中途部１２から右方に延びている。右の第１支持バー１７は、右の第１フレーム１０の中途部１２から左方に延びている。左右一対の第１支持バー１７は、互いに離間している。
【００２６】
左の第２フレーム２０の中央部分と、右の第２フレーム２０の中央部分との間には、第２連結バー２６が架け渡されている。第２連結バー２６は左右方向に延びている。また、図示は省略するが、左右一対の第２フレーム２０の上部には、左右方向に延びた左右一対の第２支持バーが設けられている。左右一対の上記第２支持バーは、第１支持バー１７と同様に、椅子１００が開脚しているとき、座部３０を支持するものである。
【００２７】
本実施形態では、椅子１００は、折り畳み機構を有する。図３に示すように、第１フレーム１０の中途部１２と第２フレーム２０とは、左右方向に延びた連結軸２８によって相対回転自在に連結されている。ここでは、第２フレーム２０には、第２フレーム２０の上部から第１フレーム１０の中途部１２に向かって延びたリンク部材２９が設けられている。リンク部材２９は、連結軸２８に接続されており、第１フレーム１０の中途部１２に対して回転自在である。図６は、折り畳まれた状態の椅子１００の左側面図である。図６に示すように、第１フレーム１０の下部１１と、第２フレーム２０の下部とが接近するように第１フレーム１０および第２フレーム２０を相対回転させることにより、椅子１００を折り畳むことができる。逆に、図４に示すように、第１フレーム１０の下部１１と第２フレーム２０の下部とが遠ざかるように第１フレーム１０および第２フレーム２０を相対回転させることにより、椅子１００を開脚させることができる。
【００２８】
図１に示すように、座部３０は、上面に形成され、利用者が座る座面３１を有している。座面３１の左右方向の中央部分には、下方に凹んだ凹部３２が形成されている。図５に示すように、凹部３２は、前方および後方に開口している。そのため、凹部３２に手を挿入することで、座面３１に座った利用者の陰部を洗浄することができる。
【００２９】
図１に示すように、背もたれ４０は、フレーム１０Ａに支持され、横フレーム１５に取り付けられている。背もたれ４０は、座部３０よりも後方に配置されている。本実施形態では、背もたれ４０は、横フレーム１５と別体である。しかしながら、背もたれ４０は、横フレーム１５と一体であってもよい。背もたれ４０には、孔４１が形成されている。利用者は、この孔４１に指を挿入して背もたれ４０を把持する。このことによって、利用者は、椅子１００を片手で持ち上げたり、片手で移動させたりすることができる。図２に示すように、背もたれ４０の下端部には、上方に凹んだ凹部４２が形成されている。本実施形態では、背もたれ４０は合成樹脂製である。しかしながら、背もたれ４０の材料は特に限定されない。
【００３０】
図１に示すように、左の肘掛け５０と、右の肘掛け５０とは、左右対称の形状を有している。左右一対の肘掛け５０は、座部３０の左方または右方に配置されている。肘掛け５０は、左右一対の第１フレーム１０の上部１３に取り付けられている。肘掛け５０は、根元部５０ａと、先端部５０ｂとを有する。肘掛け５０は、いわゆる跳ね上げ式の肘掛けである。肘掛け５０には、肘掛け回転機構５５が設けられている。肘掛け回転機構５５は、肘掛け５０の根元部５０ａを軸に、肘掛け５０を上方に回転させる機構である。肘掛け回転機構５５は、肘掛け５０の根元部５０ａをフレーム１０に回転可能に連結している。なお、肘掛け回転機構５５の構成は特に限定されない。ここでは、肘掛け回転機構５５は、左右方向に延びた回転軸５６を備えている。本実施形態では、第１フレーム１０の上部１３には、前方に突出したブラケット１４が設けられている。ブラケット１４には、回転軸５６が設けられている。肘掛け５０は、回転軸５６に回転可能に取り付けられている。よって、肘掛け５０は、回転軸５６およびブラケット１４を介して、第１フレーム１０の上部１３に回転可能に取り付けられている。
【００３１】
肘掛け回転機構５５は、肘掛け５０が前方に延びる前位置Ｐ１１（図３参照）と、肘掛け５０が上方に延びる上位置Ｐ１２（図４参照）との間で、肘掛け５０を回転させるように構成されている。図６を除く図面において、右の肘掛け５０は、前位置Ｐ１１に配置されている状態であり、左の肘掛け５０は、上位置Ｐ１２に配置されている状態である。ここで、前位置Ｐ１１とは、図３に示すように、肘掛け５０を使用する位置である。すなわち、前位置Ｐ１１は使用位置である。前位置Ｐ１１とは、肘掛け５０の先端部５０ｂが肘掛け５０の根元部５０ａよりも前方に配置されたときの肘掛け５０の位置である。前位置Ｐ１１のとき、肘掛け５０の先端部５０ｂは、回転軸５６よりも前方に位置する。前位置Ｐ１１のとき、肘掛け５０は略水平方向に延びた状態である。上位置Ｐ１２とは、図４に示すように、肘掛け５０を使用しない位置である。すなわち、上位置Ｐ１２は、非使用位置である。上位置Ｐ１２とは、肘掛け５０の先端部５０ｂが肘掛け５０の根元部５０ａよりも上方に配置されたときの肘掛け５０の位置である。上位置Ｐ１２のとき、肘掛け５０の先端部５０ｂは、回転軸５６よりも上方に位置する。上位置Ｐ１２のとき、肘掛け５０は、略垂直方向に延びた状態である。本実施形態では、前位置Ｐ１１には、水平方向の位置だけでなく、例えば、水平方向の向きの位置から±４５度以内の範囲で傾いた位置も含むものとする。上位置Ｐ１２には、鉛直方向の位置だけでなく、例えば、鉛直方向の向きの位置から±４５度以内の範囲で傾いた位置も含むものとする。なお、肘掛け回転機構５５が回転させる肘掛け５０の回転範囲は、特に限定されない。
【００３２】
次に、左右一対のグリップ６０について説明する。以下のグリップ６０の説明において、肘掛け５０の位置を特に記載していない場合、肘掛け５０は、前位置Ｐ１１に配置されているものとする。左のグリップ６０と、右のグリップ６０とは、左右対称の形状を有している。グリップ６０は、利用者が座部３０に座っている状態において、利用者が前傾姿勢で、手で握られるものである。また、グリップ６０は、利用者が座部３０に座っている状態において、利用者が前方に転倒することを抑制するものである。グリップ６０は、肘掛け５０に設けられている。グリップ６０の少なくとも一部は、肘掛け５０の先端部５０ｂよりも前方に配置されている。
【００３３】
本実施形態では、図５に示すように、グリップ６０は、接続アーム部６１と、グリップアーム部６２とを有している。接続アーム部６１は、肘掛け５０の先端部５０ｂに接続されている。接続アーム部６１は、肘掛け５０から前方に延びている。ここでは、図３に示すように、接続アーム部６１の上下方向の中心Ｃ１は、肘掛け５０の先端部５０ｂの上下方向の中心Ｃ２よりも下方に位置している。接続アーム部６１の上端は、肘掛け５０の先端部５０ｂの上端よりも下方に配置されている。ここでは、肘掛け５０の先端部５０ｂと接続アーム部６１との間には、段差が設けられている。本実施形態では、肘掛け５０の先端部５０ｂの下部には、ブラケット５１が設けられている。図２に示すように、ブラケット５１には、前部から後方に凹んだ挿入穴５２が形成されている。接続アーム部６１は、ブラケット５１の挿入穴５２に挿入されている。図５に示すように、グリップアーム部６２は、接続アーム部６１の先端部と連続している。グリップアーム部６２は、接続アーム部６１から肘掛け５０と交差する方向に延びている。グリップアーム部６２は、接続アーム部６１から前後方向と直交する方向に延びている。ここで、肘掛け５０と交差する方向、および、前後方向と直交する方向とは、例えば上下方向、または、左右方向である。本実施形態では、接続アーム部６１とグリップアーム部６２は、一体に形成されている。しかしながら、接続アーム部６１とグリップアーム部６２とは、別体に形成されていてもよい。
【００３４】
接続アーム部６１とグリップアーム部６２との接続部分６３は、接続アーム部６１からグリップアーム部６２に向かって湾曲している。言い換えると、平面視において、接続部分６３の輪郭線は曲線である。
【００３５】
本実施形態では、図３に示すように、グリップ６０には、グリップ回転機構６５が設けられている。図７、図８、図９は、それぞれグリップ６０の位置が後述の縦位置Ｐ２２の状態の椅子１００の斜視図、右側面図、平面図である。グリップ回転機構６５は、横位置Ｐ２１（図３および図５参照）と、縦位置Ｐ２２（図８および図９参照）との間でグリップ６０を肘掛け５０に対して回転させる機構である。グリップ回転機構６５は、接続アーム部６１を肘掛け５０の先端部５０ｂに回転可能に連結する機構である。ここで、図１〜図５では、グリップ６０の位置は横位置Ｐ２１である。図５に示すように、横位置Ｐ２１とは、少なくとも肘掛け５０が前位置Ｐ１１にあるときに、グリップアーム部６２が接続アーム部６１から左右方向の中心側に延びた状態のグリップ６０の位置である。横位置Ｐ２１とは、グリップアーム部６２が接続アーム部６１から座部３０側に延びた状態のグリップ６０の位置のことである。肘掛け５０の位置が前位置Ｐ１１であり、横位置Ｐ２１にグリップ６０が配置されているとき、図示は省略するが、左のグリップ６０において、グリップアーム部６２は、接続アーム部６１の先端部から右斜め上方に向かって延びている。肘掛け５０の位置が前位置Ｐ１１であり、横位置Ｐ２１にグリップ６０が配置されているとき、右のグリップ６０において、グリップアーム部６２は、接続アーム部６１の先端部から左斜め上方に向かって延びている。ここでは、図３に示すように、横位置Ｐ２１にグリップ６０が配置されているとき、グリップアーム部６２の先端は、肘掛け５０よりも上方に配置されている。なお、肘掛け５０の位置が前位置Ｐ１１であり、横位置Ｐ２１にグリップ６０が配置されているとき、グリップアーム部６２は、水平方向に延びていてもよいし、下方に向かって斜めに延びていてもよい。図示は省略するが、横位置Ｐ２１に左右一対のグリップ６０が配置されているとき、左右一対のグリップ６０のグリップアーム部６２の間には、隙間が形成されている。
【００３６】
図８に示すように、縦位置Ｐ２２とは、グリップアーム部６２が接続アーム部６１から下方に延びている状態のグリップ６０の位置のことである。縦位置Ｐ２２にグリップ６０が配置されているとき、グリップアーム部６２は、接続アーム部６１よりも下方に位置する。縦位置Ｐ２２にグリップ６０が配置されているとき、グリップ６０全体は、肘掛け５０の先端部５０ｂの上端よりも下方に配置されている。本実施形態では、横位置Ｐ２１には、水平方向の位置だけでなく、例えば、水平方向の向きの位置から±４５度以内の範囲で傾いた位置も含むものとする。縦位置Ｐ２２には、鉛直方向の位置だけでなく、例えば、鉛直方向の向きの位置から±４５度以内の範囲で傾いた位置も含むものとする。
【００３７】
グリップ回転機構６５の構成は特に限定されない。ここでは、グリップ回転機構６５は、肘掛け５０の先端部５０ｂに設けられたブラケット５１であって、挿入穴５２が形成されたブラケット５１を有している。グリップ回転機構６５は、グリップ６０の接続アーム部６１が挿入穴５２に回転可能に挿入されるように構成されている。
【００３８】
本実施形態では、グリップ６０には、ロック機構６６Ａが設けられている。ロック機構６６Ａは、グリップ６０を横位置Ｐ２１にロックする機構である。なお、ロック機構６６Ａの構成は特に限定されない。ここでは、ロック機構６６Ａは、可動ピン６６を有している。本実施形態では、グリップ６０は、肘掛け５０に設けられたブラケット５１に対して回転可能である。可動ピン６６は、グリップ６０の接続アーム部６１の径方向の外向きに突出している。可動ピン６６は、接続アーム部６１の内部から径方向の外向きに付勢されている。肘掛け５０に設けられたブラケット５１には、横位置Ｐ２１にグリップ６０が配置されている状態において、可動ピン６６に挿通される挿通孔（図示せず）が形成されている。上記挿通孔は、ブラケット５１の挿入穴５２（図２参照）と連通している。上記挿通孔に可動ピン６６が挿通されていることで、横位置Ｐ２１におけるグリップ６０の回転が規制される。
【００３９】
一方、可動ピン６６を接続アーム部６１の径方向の内向きに押し込むことで、可動ピン６６が上記挿通孔から外れる。このことによって、グリップ６０は、肘掛け５０に対して回転可能となる。そして、グリップアーム部６２が接続アーム部６１から下方に延びている状態となるように、肘掛け５０に対してグリップ６０を回転させることで、グリップ６０を縦位置Ｐ２２に配置することができる。なお、肘掛け５０のブラケット５１には、縦位置Ｐ２２にグリップ６０が配置されている状態において、可動ピン６６に挿通される他の挿通孔（図示せず）が形成されていてもよい。上記他の挿通孔に可動ピン６６が挿通されていることで、縦位置Ｐ２２におけるグリップ６０の回転が規制される。この場合、ロック機構６６Ａは、グリップ６０を縦位置Ｐ２２にロックする機能を有する。
【００４０】
次に、肘掛け５０の位置が前位置Ｐ１１のときのグリップ６０と他の部位との位置関係と、肘掛け５０の位置が上位置Ｐ１２のときのグリップ６０と他の部位との位置関係について説明する。図５に示すように、肘掛け５０が前位置Ｐ１１に配置され、かつ、グリップ６０が横位置Ｐ２１に配置されているとき、グリップアーム部６２は、座部３０よりも前方に配置される。本実施形態では、図３の点線で示すように、第１フレーム１０の下部１１および第２フレーム２０の長さを長くして、座部３０の高さを高くするほど、第１フレーム１０の下部１１の位置は前方に移動する。一方、第１フレーム１０の下部１１および第２フレーム２０を短くして、座部３０の高さを低くするほど、第１フレーム１０の下部１１の位置は後方に移動する。ここでは、肘掛け５０が前位置Ｐ１１に配置され、かつ、グリップ６０が横位置Ｐ２１に配置されているとき、座部３０の高さによっては、グリップアーム部６２の前端は、第１フレーム１０の前端よりも後方に位置したり、第１フレーム１０の前端よりも前方に位置したりする。例えば、第１フレーム１０の下部１１の長さを最も短くしたとき、グリップアーム部６２の前端は、第１フレーム１０の下部１１の前端よりも前方に位置する。逆に、図３の点線で示すように、第１フレーム１０の下部１１の長さを最も長くしたとき、グリップアーム部６２の前端は、第１フレーム１０の下部１１の前端よりも後方に位置する。
【００４１】
図９に示すように、肘掛け５０が前位置Ｐ１１に配置され、かつ、グリップ６０が縦位置Ｐ２２に配置されているとき、グリップアーム部６２は、座部３０よりも前方に配置される。図８に示すように、肘掛け５０が前位置Ｐ１１に配置され、かつ、グリップ６０が縦位置Ｐ２２に配置されているとき、座部３０の高さによっては、グリップアーム部６２の前端は、第１フレーム１０の前端よりも後方に位置したり、第１フレーム１０の前端よりも前方に位置したりする。また、肘掛け５０が前位置Ｐ１１に配置され、かつ、グリップ６０が縦位置Ｐ２２に配置されているとき、グリップアーム部６２は、座面３１よりも上方に配置される。ただし、このとき、グリップアーム部６２の一部は、座面３１よりも下方に配置されてもよい。
【００４２】
図４に示すように、肘掛け５０が上位置Ｐ１２に配置されているとき、グリップアーム部６２は、背もたれ４０よりも上方に配置されている。図５に示すように、肘掛け５０が上位置Ｐ１２に配置され、かつ、グリップ６０が横位置Ｐ２１に配置されているとき、グリップアーム部６２は、接続アーム部６１から後斜めであって、左右両側の中心側に向かって延びている。ここでは、肘掛け５０の位置が上位置Ｐ１２であり、グリップ６０が横位置Ｐ２１に配置されているとき、グリップ６０は、背もたれ４０の最前端よりも後方に位置している。図８に示すように、肘掛け５０の位置が上位置Ｐ１２であり、グリップ６０の位置が縦位置Ｐ２２のとき、グリップアーム部６２は、接続アーム部６１から前方に向かって延びている。肘掛け５０の位置が上位置Ｐ１２であり、グリップ６０の位置が縦位置Ｐ２２のとき、グリップ６０の少なくとも一部は、背もたれ４０よりも前方に配置されている。
【００４３】
以上、本実施形態に係る椅子１００について説明した。次に、椅子１００の使用例について説明する。
【００４４】
まず、利用者が座部３０に座っている状態において、肘掛け５０を使用する場合、図１に示すように、肘掛け５０が前位置Ｐ１１に配置されるように、肘掛け回転機構５５によって肘掛け５０を回転させる。このとき、肘掛け５０の先端部５０ｂは、肘掛け５０の根元部５０ａよりも前方に位置している。この状態において、グリップ６０を使用する場合には、グリップ６０の位置が横位置Ｐ２１となるようにグリップ６０を肘掛け５０に対して回転させる。グリップ６０が横位置Ｐ２１に配置されたとき、図２に示すように、左右一対のグリップ６０のグリップアーム部６２は、接続アーム部６１から左右方向の中心側に向かって上方に延びるように配置されている。このような状態において、座部３０に座った利用者は、グリップアーム部６２を手で握ると共に、グリップアーム部６２に腕を置く。このことによって、利用者は、前傾姿勢の状態で安定する。また、座部３０に座った利用者は、グリップアーム部６２で体が支持されているため、前方に倒れ難い。
【００４５】
座部３０に利用者が座っている状態において、利用者が立ち上がる場合には、まず、図７に示すように、グリップ６０の位置が縦位置Ｐ２２になるように、グリップ６０を回転させる。このことによって、グリップ６０のグリップアーム部６２は、接続アーム部６１から下方に延びた状態となる。このようなグリップ６０の状態において、利用者は、肘掛け５０に手を置いて立ち上がることができる。
【００４６】
ところで、椅子１００の利用者の中には、座部３０から左右両側の何れか一方にずれて移動することがあり得る。ここでは、座部３０に座っている利用者が左側および右側の何れか一方にずれて移動することを「横移乗」という。横移乗する場合には、前位置Ｐ１１に配置されている肘掛け５０を上位置Ｐ１２に移動させるとよい。しかしながら、肘掛け５０の根元部５０ａを軸に肘掛け５０を回転させるとき、図１に示すように、グリップ６０の位置が横位置Ｐ２１の場合、グリップアーム部６２が座部３０に座る利用者にぶつかるおそれがある。そこで、肘掛け５０が前位置Ｐ１１から上位置Ｐ１２に移動されるとき、図７に示すように、グリップ６０の位置が縦位置Ｐ２２となるように、肘掛け５０に対してグリップ６０を回転させる。このことによって、グリップアーム部６２は、肘掛け５０の前方において、上下方向に延びた状態となる。よって、肘掛け５０が前位置Ｐ１１から上位置Ｐ１２に移動されるとき、座部３０に座っている利用者に、グリップアーム部６２がぶつかり難い。
【００４７】
なお、図８に示すように、肘掛け５０の位置が上位置Ｐ１２であり、かつ、グリップ６０の位置が縦位置Ｐ２２のとき、グリップ６０のグリップアーム部６２は、前後方向に延びた状態となる。このような状態で、利用者が横移乗しようとした場合、利用者にグリップアーム部６２がぶつかるおそれがある。そのため、肘掛け５０の位置が上位置Ｐ１２のとき、図４に示すように、グリップ６０が横位置Ｐ２１に配置されるように、グリップ６０を回転させる。このことによって、図５に示すように、グリップアーム部６２は、接続アーム部６１から後斜めであって、左右両側の中心側に向かって延びた状態となる。また、肘掛け５０の位置が上位置Ｐ１２であり、グリップ６０が横位置Ｐ２１に配置されているとき、グリップ６０は、背もたれ４０の最前端よりも後方に位置している。よって、座部３０に座っている利用者が横移乗する際、グリップ６０に接触され難くすることができる。
【００４８】
本実施形態では、肘掛け５０が前位置Ｐ１１にあるとき、グリップ６０を横位置Ｐ２１から縦位置Ｐ２２に回転させることにより、利用者は前移乗が可能となる。利用者が座部３０に座った後、グリップ６０を縦位置Ｐ２２から横位置Ｐ２１に回転させることにより、グリップ６０を利用者の手前に配置することができる。これにより、利用者は前方にずり落ちにくくなる。また、グリップ６０を握ることにより、安定した前傾姿勢を容易にとることができる。したがって、本実施形態に係る椅子１００によれば、利用者は座ったときに前方にずり落ち難く、また、安定した前傾姿勢を容易にとることができ、更に、横移乗が可能となる。
【００４９】
肘掛け５０が前位置Ｐ１１にあるときに、利用者が肘掛け５０でなくグリップ６０に手を置いて立ち上がろうとすることがあり得る。特に、グリップ６０が縦位置Ｐ２２にある場合は、肘掛け５０とグリップ６０とが区別しにくくなる傾向があり、利用者はグリップ６０に手を置いて立上りやすい。ところが、グリップ６０は椅子１００の前方部分に配置されているので、利用者がグリップ６０に手を置いて立ち上がろうとした場合、椅子１００が前方に転倒するおそれがある。しかしながら、本実施形態では、図３に示すように、肘掛け５０が前位置Ｐ１１にあるときに、接続アーム部６１の中心Ｃ１は肘掛け５０の先端部５０ｂの中心Ｃ２よりも下方に位置する。接続アーム部６１は、肘掛け５０よりも一段下がった位置に配置される。そして、接続アーム部６１の上端は、肘掛け５０の先端部５０ｂの上端よりも下方に配置される。そのため、利用者は、肘掛け５０とグリップ６０とを区別しやすくなり、グリップ６０よりも肘掛け５０の方に手を置き易い。よって、利用者が立ち上がる際、椅子１００が前方に転倒し難くすることができる。
【００５０】
本実施形態では、ロック機構６６Ａは、グリップ６０を横位置Ｐ２１にロックする。このことによって、グリップ６０を縦位置Ｐ２２から横位置Ｐ２１に回転させた後、横位置Ｐ２１に固定することができる。よって、グリップ６０が横位置Ｐ２１にある場合において、利用者がグリップ６０を握るときに、グリップ６０が回転してしまうことを確実に防止することができる。また、肘掛け５０を前位置Ｐ１１と上位置Ｐ１２との間で移動させる際（例えば、跳ね上げる際）、および、肘掛け５０を跳ね上げてから横移乗する際などに、グリップ６０が回転して邪魔になってしまうことを確実に防止することができる。
【００５１】
本実施形態では、図２に示すように、肘掛け５０が前位置Ｐ１１にあり、かつ、グリップ６０が横位置Ｐ２１にあるときに、グリップアーム部６２は接続アーム部６１から上方に向かって傾斜している。このことによって、肘掛け５０が前位置Ｐ１１に配置され、かつ、グリップ６０が横位置Ｐ２１に配置されている状態において、座部３０に座った利用者は、前傾姿勢の状態でグリップアーム部６２を手で握ると共に、グリップアーム部６２に腕を置くことができる。前傾姿勢の状態でグリップアーム部６２を手で握る際、腕は左右方向の中心側に向かうに従って上方に延びた状態となる。よって、本実施形態では、グリップアーム部６２の向きと、腕の向きとが同じになり、利用者がグリップアーム部６２に腕を置き易くすることができる。
【００５２】
本実施形態では、図３に示すように、肘掛け５０が前位置Ｐ１１にあり、かつ、グリップ６０が横位置Ｐ２１または縦位置Ｐ２２（図８参照）にあるときに、グリップ６０の前端は前脚（第１フレーム１０の下部１１）の前端よりも前方に位置している。グリップ６０の位置が前方にあるほど、グリップ６０に腕を置いて体重を掛けた際に、椅子１００は前方に倒れやすくなる。本実施形態では、グリップ６０は比較的前方に配置されている。そのため、グリップ６０に体重を掛けた場合であっても椅子１００が前方に倒れ難くいという前述の効果が、より顕著に発揮される。
【００５３】
＜第２実施形態＞
次に、第２実施形態に係る椅子について説明する。上記実施形態では、椅子１００は、浴室内で利用される椅子であった。しかしながら、本発明に係る椅子は、浴室用の椅子に限定されない。
【００５４】
図１０は、第２実施形態に係る椅子２００の斜視図であり、グリップ６０の位置が横位置Ｐ２１である状態を示す図である。図１１は、第２実施形態に係る椅子２００の斜視図であり、グリップ６０の位置が縦位置Ｐ２２である状態を示す図である。図１０に示すように、本実施形態に係る椅子２００は、ポータブルトイレである。ここで、ポータブルトイレとは、主に高齢者や要介護者に使用されるものであり、介護用に好適に使用されるトイレである。ポータブルトイレは、床に固定されるトイレではなく、移動可能式のトイレである。本実施形態に係る椅子２００は、第１実施形態に係る椅子１００において、座部３０（図１参照）を便座１３０および収容部１３５に変更したものである。本実施形態では、便座１３０は、本発明の座部の一例である。
【００５５】
本実施形態では、椅子２００は、左右一対の第１フレーム１０および左右一対の第２フレーム２０を有するフレーム１０Ａと、便座１３０と、収容部１３５と、背もたれ４０と、左右一対の肘掛け５０と、左右一対のグリップ６０とを備えている。なお、左右一対の第１フレーム１０、左右一対の第２フレーム２０、背もたれ４０、左右一対の肘掛け５０、および、左右一対のグリップ６０は、第１実施形態と同様の構成のため、ここでの説明は省略する。ただし、本実施形態において、第１実施形態の第１連結バー１６（図２参照）、および、第１支持バー１７（図２参照）は省略されている。
【００５６】
図１０に示すように、便座１３０は、左右一対の第１フレーム１０の間、および、左右一対の第２フレーム２０の間に配置されている。便座１３０は、利用者のお尻を受ける座面１３１を有する。本実施形態では、便座１３０は、後部の縁に設けられたヒンジ１３２を介して収容部１３５に取り付けられている。便座１３０の状態は、収容部１３５の上に配置された状態と、収容部１３５の上面から引き上げられた状態とで適宜に変更される。
【００５７】
収容部１３５は、利用者の排便を収容するものである。本実施形態では、収容部１３５は、上部が開口した底が深い有底の容器である。収容部１３５の上には、便座１３０が配置される。本実施形態では、収容部１３５は、左右一対の第１フレーム１０の間、および、左右一対の第２フレーム２０の間に配置されており、第１フレーム１０および第２フレーム２０に取り付けられている。
【００５８】
本実施形態では、第１実施形態と同様に、肘掛け５０は、根元部５０ａの回転軸５６を軸にして、先端部５０ｂが回転軸５６よりも前方に配置された前位置Ｐ１１と、先端部５０ｂが根元部５０ａよりも上方に配置された上位置Ｐ１２との間で回転可能に構成されている。
【００５９】
本実施形態では、第１実施形態と同様に、グリップ６０は、横位置Ｐ２１（図１０参照）と、縦位置Ｐ２２（図１１参照）との間で、肘掛け５０に対して回転可能に構成されている。ここで、横位置Ｐ２１とは、図１０に示すように、グリップアーム部６２が接続アーム部６１から左右方向の中心側に延びた状態のグリップ６０の位置のことである。縦位置Ｐ２２とは、図１１に示すように、グリップアーム部６２が接続アーム部６１から下方に延びた状態のグリップ６０の位置のことである。
【００６０】
詳しい説明は省略するが、本実施形態であっても、肘掛け５０を使用しない場合、肘掛け５０が上位置Ｐ１２に配置されるように、肘掛け５０を回転させる。このとき、グリップアーム部６２を縦位置Ｐ２２に配置した状態で、肘掛け５０を回転させることで、座部３０に座った利用者にグリップ６０がぶつかり難くすることができる。そして、図１０に示すように、肘掛け５０が上位置Ｐ１２に配置されている状態において、グリップアーム部６２の位置を横位置Ｐ２１に配置する。このことによって、グリップアーム部６２は背もたれ４０の前端よりも後方に位置している。そのため、利用者が移乗する際、グリップ６０が接触され難くすることができる。よって、本実施形態であっても、第１実施形態と同様の効果が得られる。
【符号の説明】
【００６１】
１０Ａ  フレーム
３０  座部
４０  背もたれ
５０  肘掛け
５５  肘掛け回転機構
６０  グリップ
６１  接続アーム部
６２  グリップアーム部
６５  グリップ回転機構
１００、２００  椅子
【図１】
2019072085.tif 000003
【図２】
2019072085.tif 000004
【図３】
2019072085.tif 000005
【図４】
2019072085.tif 000006
【図５】
2019072085.tif 000007
【図６】
2019072085.tif 000008
【図７】
2019072085.tif 000009
【図８】
2019072085.tif 000010
【図９】
2019072085.tif 000011
【図１０】
2019072085.tif 000012
【図１１】
2019072085.tif 000013